(57)【要約】【課題】カメラ用シャッタ装置において、シャッタ羽根に付勢力を及ぼす捩りコイルバネの傾きを防止し、安定した露光動作を行なわせる。【解決手段】露光用の開口部１０ａを有する地板１０、開口部１０ａを開閉するべく地板１０に回動自在に支持された一対のシャッタ羽根２０（２１，２２）、地板１０に配置されその可動片４１がシャッタ羽根２１に係合して付勢力を及ぼす捩りコイルバネ４０を備え、捩りコイルバネ４０は、コイル部４３の巻線４３ａ同士が離隔するように巻かれており、カバー板５０がコイル部４３を圧縮した状態で地板１０に固定されている。これにより、コイル部４３が堅固に保持され、その傾きが防止され、シャッタ羽根２０が安定して開閉動作を行なう。【選択図】　図１
2004133097.tif 000002
【特許請求の範囲】
【請求項１】
露光用の開口部を有する地板と、前記開口部を開閉するべく前記地板に回動自在に支持されたシャッタ羽根と、前記地板に配置されその一端部が前記シャッタ羽根に係合して付勢力を及ぼす捩りコイルバネと、を備えたカメラ用シャッタ装置であって、
前記捩りコイルバネは、そのコイル部の巻線同士が離隔するように巻かれ、かつ、前記地板に対して前記コイル部を圧縮した状態で取り付けられている、
ことを特徴とするカメラ用シャッタ装置。
【請求項２】
前記捩りコイルバネの少なくともコイル部を覆うように前記地板に固定されたカバー板を有し、
前記捩りコイルバネは、前記地板とカバー板との間において前記コイル部を圧縮した状態で取り付けられている、
ことを特徴とする請求項１記載のカメラ用シャッタ装置。
【請求項３】
前記捩りコイルバネは、前記開口部を開放する向きに前記シャッタ羽根を付勢するように形成されている、
ことを特徴とする請求項１又は２に記載のカメラ用シャッタ装置。
【請求項４】
前記開口部を所定の口径に絞るべく前記地板に回動自在に支持されかつ前記シャッタ羽根と連動して駆動される絞り羽根を有し、
前記捩りコイルバネは、前記一端部が前記シャッタ羽根に係合して、前記絞り羽根が前記開口部を絞る位置にあるとき前記開口部を開放する所定位置に前記シャッタ羽根を停止させ、かつ、前記シャッタ羽根が前記開口部を閉鎖する位置にあるとき前記開口部を開放する向きに前記シャッタ羽根を付勢するように形成されている、
ことを特徴とする請求項１ないし３いずれかに記載のカメラ用シャッタ装置。
【請求項５】
前記シャッタ羽根は、お互いに協働して前記開口部を開閉する一対のシャッタ羽根からなり、
前記捩りコイルバネの一端部は、前記一対のシャッタ羽根の一方に対して、係合及び離脱するように形成されている、
ことを特徴とする請求項１ないし４いずれかに記載のカメラ用シャッタ装置。
【請求項６】
露光用の開口部を有する地板と、前記開口部を開閉するべく前記地板に回動自在に支持されたシャッタ羽根と、前記地板に対して回動自在に支持され前記シャッタ羽根を駆動する駆動レバーと、前記駆動レバーにその一端部が係合して付勢力を及ぼす捩りコイルバネと、を備えたカメラ用シャッタ装置であって、
前記捩りコイルバネは、そのコイル部の巻線同士が離隔するように巻かれ、かつ、前記地板に対して前記コイル部を圧縮した状態で取り付けられている、
ことを特徴とするカメラ用シャッタ装置。
【請求項７】
前記シャッタ羽根は、お互いに協働して前記開口部を開閉する一対のシャッタ羽根からなり、
前記捩りコイルバネは、前記開口部を開放する向きに前記駆動レバーを付勢するように形成されている、
ことを特徴とする請求項６記載のカメラ用シャッタ装置。
【発明の詳細な説明】
【０００１】
【発明の属する技術分野】
本発明は、露光用の開口部を開閉するシャッタ羽根等を所定の回転方向に付勢する捩りコイルバネを備えたカメラ用シャッタ装置に関する。
【０００２】
【従来の技術】
従来のカメラ用シャッタ装置は、例えば、図９及び図１０（ａ），（ｂ），（ｃ）に示すように、露光用の開口部１ａが形成された地板１、地板１の凹部１ｂに配置された捩りコイルバネ２、付勢力を及ぼす捩りコイルバネ２の一端部２ａのみを突出させるように覆うカバー板３、開口部１ａを開閉するべく地板１の支軸１ｃに対して回動自在に支持されたシャッタ羽根４等を備えている。そして、捩りコイルバネ２は、一端部２ａがシャッタ羽根４の縁部４ａに係合することで、シャッタ羽根４に所定向きの付勢力、例えば露光用の開口部１ａを開放する向きの付勢力を及ぼすものであり、そのコイル部２ｂの巻線２ｂ´同士が密着するように巻かれたものが用いられている。したがって、捩りコイルバネ２が地板１の凹部１ｂに取り付けられた状態で、図１０（ｂ）に示すように、コイル部２ｂとカバー板３との間に隙間Ｃを生じる構造となっている。
【０００３】
また、例えば、図１１及び図１２（ａ），（ｂ）に示すように、露光用の開口部が形成された地板５、地板５の支軸５ｂに回動自在に支持された駆動レバー６、駆動レバー６に付勢力を及ぼす捩りコイルバネ７、露光用の開口部を開閉するべく地板５の支軸５ｃに対して回動自在に支持されたシャッタ羽根８等を備えている。捩りコイルバネ７は、一端部７ａが駆動レバー６に掛止されて駆動レバー６を一方向に回転させるように付勢力を及ぼすものであり、そのコイル部７ｂの巻線７ｂ´同士が密着するように巻かれたものが用いられている。したがって、捩りコイルバネ７が駆動レバー６の周りに取り付けられた状態で、図１１に示すように、コイル部７ｂは駆動レバー６に対して相対的に移動できる隙間Ｃを生じる構造となっている（例えば、特許文献１、特許文献２、特許文献３参照）。
【０００４】
【特許文献１】
特開平１１−３２６９８９号公報
【特許文献２】
特開平１１−３２３６９０号公報
【特許文献３】
特開平１１−１９４３８１号公報
【０００５】
【発明が解決しようとする課題】
ところで、上記のような構造をなす装置においては、隙間Ｃを生じることで、捩りコイルバネ２，７が、図１０（ｃ）及び図１２（ａ），（ｂ）に示すように傾斜する（角度θ）場合がある。捩りコイルバネ２，７が傾斜すると、その一端部２ａ，７ａがシャッタ羽根４の縁部４ａあるいは駆動レバー６に対して、予め設定された角度位置からずれた状態で付勢力を及ぼすことになる。
その結果、シャッタ羽根４あるいは駆動レバー６には、本来必要とされる方向からではなくずれた方向から付勢力が作用し、シャッタ羽根４あるいは駆動レバー６及びシャッタ羽根８の動作が不安定になり、安定した露光動作が得られなくなるという問題があった。
【０００６】
本発明は、上記従来技術の問題点に鑑みて成されたものであり、その目的とするところは、捩りコイルバネの傾き等を防止して、シャッタ羽根の動作を安定させ、所望の露光動作が得られるカメラ用シャッタ装置を提供することにある。
【０００７】
【課題を解決するための手段】
本発明のカメラ用シャッタ装置は、露光用の開口部を有する地板と、開口部を開閉するべく地板に回動自在に支持されたシャッタ羽根と、地板に配置されその一端部がシャッタ羽根に係合して付勢力を及ぼす捩りコイルバネと、を備えたカメラ用シャッタ装置であって、上記捩りコイルバネは、そのコイル部の巻線同士が離隔するように巻かれかつ地板に対してコイル部を圧縮した状態で取り付けられている、ことを特徴としている。
この構成によれば、捩りコイルバネは、疎巻されたコイル部を圧縮した状態で地板に配置されているため、その圧縮力の反力によりコイル部が堅固に保持され、その傾きが防止される。したがって、一端部がシャッタ羽根に係合して付勢力を及ぼす際に、所定方向に向かう安定した付勢力がシャッタ羽根に付与され、シャッタ羽根は安定した開閉動作を行なう。
【０００８】
上記構成において、捩りコイルバネの少なくともコイル部を覆うように地板に固定されるカバー板を有し、捩りコイルバネは、地板とカバー板との間においてコイル部を圧縮した状態で取り付けられている、構成を採用できる。
この構成によれば、捩りコイルバネを取り付ける際に、地板の所定位置に捩りコイルバネを載置した後にカバー板でコイル部を挟み込むようにして、カバー板を地板に固定するだけで、コイル部を圧縮しつつ捩りコイルバネの取り付が完了する。これにより、捩りコイルバネの取り付けが確実にかつ容易に行なわれる。
【０００９】
上記構成において、捩りコイルバネは、開口部を開放する向きにシャッタ羽根を付勢するように形成されている、構成を採用できる。
この構成によれば、コイル部が圧縮して保持された状態で、その一端部がシャッタ羽根に係合して開口部を開放する向きに付勢力を及ぼすため、シャッタ羽根の開き動作が安定すると共に、特にバネ力がチャージされつつ安定した閉じ動作が行なわれる。
【００１０】
上記構成において、開口部を所定の口径に絞るべく地板に回動自在に支持されかつシャッタ羽根と連動して駆動される絞り羽根を有し、捩りコイルバネは、一端部がシャッタ羽根に係合して、絞り羽根が開口部を絞る位置にあるとき開口部を開放する所定位置にシャッタ羽根を停止させ、かつ、シャッタ羽根が開口部を閉鎖する位置にあるとき開口部を開放する向きにシャッタ羽根を付勢するように形成されている、構成を採用できる。
この構成によれば、シャッタ羽根との連動により絞り羽根が移動して開口部を絞る位置に達すると、捩りコイルバネの一端部がシャッタ羽根に係合して、開口部を開放する所定位置にシャッタ羽根を停止させて位置決めする。そして、シャッタ羽根がさらに移動して開口部を閉鎖する位置にあるとき、捩りコイルバネの一端部は、シャッタ羽根を開放する向きに付勢する。
この際、捩りコイルバネの傾きが防止されるため、その付勢力は所定の方向から安定して作用し、シャッタ羽根は安定した開閉動作を行なう。
【００１１】
上記構成において、シャッタ羽根は、お互いに協働して開口部を開閉する一対のシャッタ羽根からなり、捩りコイルバネの一端部は、一対のシャッタ羽根の一方に対して係合及び離脱するように形成されている、構成を採用できる。
この構成によれば、捩りコイルバネの一端部がシャッタ羽根に対して係合及び離脱する際に衝撃力を受けても、捩りコイルバネは傾くことなく所定向きの付勢力を及ぼすため、一対のシャッタ羽根は安定した開閉動作を行なう。
【００１２】
また、本発明のカメラ用シャッタ装置は、露光用の開口部を有する地板と、開口部を開閉するべく地板に回動自在に支持されたシャッタ羽根と、地板に対して回動自在に支持されシャッタ羽根を駆動する駆動レバーと、駆動レバーにその一端部が係合して付勢力を及ぼす捩りコイルバネと、を備えたカメラ用シャッタ装置であって、上記捩りコイルバネは、そのコイル部の巻線同士が離隔するように巻かれかつ地板に対してコイル部を圧縮した状態で取り付けられている、ことを特徴としている。
この構成によれば、捩りコイルバネは、疎巻されたコイル部を圧縮した状態で地板に配置されているため、その圧縮力の反力によりコイル部が堅固に保持され、その傾きが防止される。したがって、一端部が駆動レバーに付勢力を及ぼす際に、所定方向に向かう安定した付勢力が駆動レバーに付与され、駆動レバーは安定して回転する。これにより、シャッタ羽根は安定した開閉動作を行なう。
【００１３】
上記構成において、シャッタ羽根は、お互いに協働して開口部を開閉する一対のシャッタ羽根からなり、捩りコイルバネは、開口部を開放する向きに駆動レバーを付勢するように形成されている、構成を採用できる。
この構成によれば、コイル部が圧縮して保持された状態で、シャッタ羽根が開口部を開放する向きにその一端部が駆動レバーに付勢力を及ぼすため、シャッタ羽根の開き動作が安定すると共に、特にバネ力がチャージされつつ安定した閉じ動作が行なわれる。
【００１４】
【発明の実施の形態】
以下、本発明の実施の形態について、添付図面を参照しつつ説明する。
図１ないし図５は、本発明に係るカメラ用シャッタ装置の一実施形態を示すものであり、図１は構成部品の一部を示す分解斜視図、図２は断面図、図３ないし図５は動作図である。
この装置は、図１ないし図３に示すように、露光用の開口部１０ａを有する地板１０、開口部１０ａを開閉するべく地板１０に回動自在に支持された一対のシャッタ羽根２０（２１、２２）、開口部１０ａを所定の口径に絞るべく地板１０に回動自在に支持された絞り羽根３０、地板１０に配置されシャッタ羽根２０（２１）に係合して付勢力を及ぼす捩りコイルバネ４０、捩りコイルバネ４０の一部を覆うように地板１０に固定されるカバー板５０、シャッタ羽根２０（２２）と絞り羽根３０とを連動させる捩りコイルバネ６０、駆動力を発生する駆動ピン７０ａを有する電磁アクチュエータ等を備えている。尚、電磁アクチュエータは、所定の角度範囲を回動するロータ、励磁用のコイル、ヨーク等により形成され、駆動ピン７０ａはロータに一体的に形成されている。
【００１５】
地板１０には、図１及び図２に示すように、捩りコイルバネ４０を配置するための凹部１１、シャッタ羽根２１を回動自在に支持する支軸１２、シャッタ羽根２２及び絞り羽根３０を回動自在に支持する支軸１３、シャッタ羽根２０を開閉位置にて停止させるストッパ１４，１５、絞り羽根３０を絞り位置にて停止させるストッパ１６等が、一体的に形成されている。
【００１６】
凹部１１は、図１ないし図３に示すように、支軸１２の付根領域に形成された拡径部１２ａを取り囲むように形成され、又、後述する捩りコイルバネ４０の可動片４１を当接させる側面１１ａ、後述する捩りコイルバネ４０の掛止片４２を掛止する側面１１ｂ及び突起１１ｃ等を有する。
【００１７】
カバー板５０は、図１に示すように、地板１０と略同一の輪郭をなすように形成され、露光用の開口部５０ａ、後述する捩りコイルバネ４０の可動片４１を突出させるきり欠き孔５１、支軸１２，１３を通す貫通孔５２，５３、ストッパ１４，１５，１６を通す切り欠き孔５４，５５，５６等を有する。
【００１８】
シャッタ羽根２０は、図３に示すように、一対のシャッタ羽根２１，２２により形成されている。シャッタ羽根２１，２２には、それぞれ支軸１２，１３が通される貫通孔２１ａ，２２ａ、駆動ピン７０ａが通される長孔２１ｂ，２２ｂ、開口部１０ａを覆う遮蔽部２１ｃ，２２ｃが形成されている。
すなわち、シャッタ羽根２１とシャッタ羽根２２とは、駆動ピン７０ａにより連動させられ、お互いに近づく方向に回転して開口部１０ａを閉鎖し、又、お互いに遠ざかる方向に回転して開口部１０ａを開放する。
【００１９】
捩りコイルバネ４０は、図１に示すように、一端部としての可動片４１、掛止片４２、可動片４１と掛止片４２とを連結する螺旋状のコイル部４３等により形成されている。コイル部４３は、未装着の状態で、巻線４３ａ同士がお互いに離隔するように疎巻き状態に形成されている。
【００２０】
その組み付けに際しては、図２（ａ）に示すように、先ず、地板１０の凹部１１に形成された拡径部１２ａに、若干の隙間を設けてコイル部４３を嵌め込み、突起１１ｃの下側において掛止片４２を側面１１ｂに掛止させ、可動片４１の下側部分を側面１１ａに当接させる。
次に、図２（ｂ）に示すように、その上からカバー板５０を近づけて、コイル部４３を圧縮した状態で、可動片４１を切り欠き孔５１から突出させるようにしてカバー板５０を地板１０に固定する。
【００２１】
これにより、捩りコイルバネ４０は、カバー板５０と地板１０との間において、コイル部４３が圧縮されて保持された状態となる。したがって、コイル部４３は堅固に保持されてその傾きが防止される。
この状態において、可動片４１は、直立した状態に保持され、凹部１１及び切り欠き孔５１の範囲内において可動となっている。そして、この可動片４１に対してシャッタ羽根２１の縁部２１ｄが係合して、図５に示すように右向きに移動させられることで、捩りコイルバネ４０にバネ力がチャージされるようになっている。
【００２２】
絞り羽根３０には、図３に示すように、支軸１３が通される貫通孔３０ａ、駆動ピン７０ａが遊走される貫通孔３０ｂ、所定の口径をなす円形の絞り孔３０ｃが形成されている。
捩りコイルバネ６０は、図３に示すように、シャッタ羽根２０の所定の作動範囲において、絞り羽根３０をシャッタ羽根２１に連動させるものであり、支軸１３の周りに若干の隙間を設けて配置されて、その一端部６１がシャッタ羽根２２の縁部２２ｄに掛止され、その他端部６２が絞り羽根３０の縁部３０ｄに掛止されている。
【００２３】
これにより、捩りコイルバネ６０は、支軸１３の回りにおける所定の付勢力により、シャッタ羽根２２を反時計回りに、絞り羽根３０を時計回りに、それぞれ付勢している。したがって、シャッタ羽根２２が時計回りに回転すると、その動作に連動して絞り羽根３０も時計回りに回転し、一方、シャッタ羽根２２が反時計回りに回転しかつ駆動ピン７０ａが貫通孔３０ｂの内縁部を押すと、その動作に連動して絞り羽根３０も反時計回りに回転するようになっている。
【００２４】
次に、上記実施形態に係るカメラ用シャッタ装置を、例えば、デジタルスチルカメラに搭載した場合の動作について、図３ないし図５の動作図を参照しつつ説明する。尚、このカメラ用シャッタ装置が搭載されるデジタルスチルカメラには、種々の制御を司る制御手段としての制御部（ＣＰＵ等）、撮像素子としてのＣＣＤ、ＣＣＤから出力された画像信号の処理を行なう画像信号処理回路、シャッタのレリーズ動作を行なう際のレリーズボタン、メインスイッチ等が設けられている。
【００２５】
先ず、撮影者がメインスイッチをＯＮにすると、制御部から出力される制御信号によりＣＣＤがＯＮ状態になり、図３に示すように、シャッタ羽根２０は開口部１０ａを全開した開放位置にあり、絞り羽根３０は開口部１０ａを絞らない開放位置にある。このとき、捩りコイルバネ４０の可動片４１は、直立した状態で側面１１ａに当接して休止位置に停止している。
【００２６】
この状態において、ＣＣＤに被写体光が到達すると、ＣＣＤの出力信号に基づいて、制御部は適正な絞り値すなわち絞り羽根３０により絞りを行なうか否かの判断と露出時間（シャッタ秒時）を算出する。そして、絞り動作を行なわないとき、この状態のまま撮影に備えて待機する。
【００２７】
ここで、レリーズ動作が行なわれると、制御部からの制御信号によりＣＣＤがリセットされ、続けてＣＣＤが電荷の蓄積を開始し、所定時間経過後に、電磁アクチュエータが駆動されて駆動ピン７０ａが移動し、図５に示すように、シャッタ羽根２０（２１，２２）が回転して開口部１０ａを閉鎖すると同時に、絞り羽根３０が回転して開口部１０ａに臨む位置に移動する。
【００２８】
この際、図４に示すように、絞り羽根３０が絞り位置に達した時点から、シャッタ羽根２１の縁部２１ｄが捩りコイルバネ４０の可動片４１に係合する。そして、可動片４１は、シャッタ羽根２１の回転に伴なって変形させられ、捩りコイルバネ４０にはバネ力がチャージされる。尚、このとき、絞り羽根３０は、駆動ピン７０ａが貫通孔３０ｂ内の遊走することでシャッタ羽根２０との連動が解除され、ストッパ１６により絞り位置に保持される。
【００２９】
上記バネ力のチャージ動作において、コイル部４３は圧縮した状態で堅固に保持されているため、捩りコイルバネ４０の可動片４１は、傾くことなく略直立した状態でシャッタ羽根２１の移動方向に押される。このとき、シャッタ羽根２１には可動片４１の反力が作用するが、その反力の作用方向がシャッタ羽根２１の移動方向に略沿った方向であるため、シャッタ羽根２１（すなわちシャッタ羽根２０）は無理な力を受けることなく安定して閉じ動作を行なう。
【００３０】
続いて、制御部は、画像信号処理回路等を介して撮影された画像の信号をメモリカード等の記憶部に記憶させる。これにより、１回の撮影動作が完了する。その後、制御部からの制御信号により、電磁アクチュエータが逆向きに駆動されると、捩りコイルバネ４０の付勢力も作用して、シャッタ羽根２０は開放位置に戻り、絞り羽根３０もそれに連動して開放位置に戻る。この戻り動作においても、捩りコイルバネ４０（可動片４１）は傾くことなく安定した付勢作用を及ぼすため、シャッタ羽根２０は安定して開き動作を行なう。
【００３１】
一方、制御部が絞り動作を行なうと判断した場合は、先ず、制御部からの制御信号により、電磁アクチュエータが所定の回転角度だけ駆動される。そして、図４に示すように、シャッタ羽根２０が開口部１０ａを開放する所定位置に達すると、シャッタ羽根２１の縁部２１ｄが捩りコイルバネ４０の可動片４１に係合し、シャッタ羽根２０がその開放位置に位置決めされると同時に、絞り羽根３０が開口部１０ａを絞る位置に位置決めされる。このとき、可動片４１は、縁部２１ｄに対して傾くことなく略垂直に当接するため、シャッタ羽根２１（２０）は無理な力を受けることなく確実に停止させられる。
【００３２】
この待機状態で、レリーズ動作が行なわれると、制御部からの制御信号によりＣＣＤがリセットされ、続けてＣＣＤが電荷の蓄積を開始し、所定時間経過後に、電磁アクチュエータが駆動されて駆動ピン７０ａが移動し、図５に示すように、シャッタ羽根２０（２１，２２）が回転して開口部１０ａを閉鎖する。一方、絞り羽根３０は、絞り位置に保持されて停止している。
【００３３】
この際も、前述同様に、捩りコイルバネ４０の可動片４１は、傾くことなくシャッタ羽根２１の回転に伴なって変形させられ、捩りコイルバネ４０にはバネ力がチャージされる。したがって、シャッタ羽根２１（すなわちシャッタ羽根２０）は無理な力を受けることなく安定して閉じ動作を行なう。
【００３４】
続いて、制御部は、画像信号処理回路等を介して撮影された画像の信号をメモリカード等の記憶部に記憶させる。これにより、絞り状態での撮影動作が完了する。その後、制御部からの制御信号により、電磁アクチュエータが逆向きに駆動されると、捩りコイルバネ４０の付勢力も作用して、シャッタ羽根２０は開放位置に戻り、絞り羽根３０もそれに連動して開放位置に戻る。
この戻り動作においても、前述同様に、捩りコイルバネ４０（可動片４１）は傾くことなく安定した付勢作用を及ぼすため、シャッタ羽根２０は安定して開き動作を行なう。尚、以後の撮影に際しては、同様の制御シーケンス及び動作が行なわれる。
この実施形態においては、絞り羽根３０を含む構成を示したが、これに限定されるものではなく、絞り羽根３０を採用しない構成において、本発明に係る捩りコイルバネ４０を採用してもよい。
【００３５】
図６ないし図８は、本発明に係るカメラ用シャッタ装置の他の実施形態を示すものであり、図６は装置の一部を示す展開断面図、図７及び図８は装置の作動図である。
この装置は、図６ないし図８に示すように、露光用の開口部１００ａを有する地板１００、開口部１００ａを開閉するべく地板１００に回動自在に支持された一対のシャッタ羽根１２０（１２１、１２２）、シャッタ羽根１２０を駆動するべく地板１００に回動自在に支持された駆動レバー１３０、地板１００上の駆動レバー１３０の周りに配置され駆動レバー１３０に一方向への付勢力を及ぼす捩りコイルバネ１４０、捩りコイルバネ１４０の一部を押さえるように固定された押え部材１５０、駆動力を発生する電磁アクチュエータ１６０等を備えている。
【００３６】
地板１００には、図６ないし図８に示すように、駆動レバー１３０を回動自在に支持する支軸１００ｂ、貫通孔１００ｃ，１００ｄ、シャッタ羽根１２０（１２１，１２２）を回動自在に支持する支軸１００ｅ，１００ｆ、シャッタ羽根１２０を開閉位置にて停止させるストッパ１００ｇ，１００ｈ等が一体的に形成されている。また、地板１００には、その裏面側においてシャッタ羽根１２０を収容する羽根室Ｗを画定する裏板１０１、その表面側において電磁アクチュエータ１６０を保持する保持板１０２が、締結ネジ等により固定されている。
【００３７】
シャッタ羽根１２０は、図７及び図８に示すように、一対のシャッタ羽根１２１，１２２により形成されている。シャッタ羽根１２１，１２２には、それぞれ支軸１００ｅ，１００ｆが通される貫通孔１２１ａ，１２２ａ、後述する駆動ピン１３１が通される長孔１２１ｂ，１２２ｂ、開口部１００ａを覆う遮蔽部１２１ｃ，１２２ｃが形成されている。
すなわち、シャッタ羽根１２１とシャッタ羽根１２２とは、駆動ピン１３１により連動させられ、お互いに近づく方向に回転して開口部１００ａを閉鎖し、又、お互いに遠ざかる方向に回転して開口部１００ａを開放する。
【００３８】
駆動レバー１３０は、図６ないし図８に示すように、貫通孔１００ｄ内を移動し得ると共にシャッタ羽根１２１，１２２の長孔１２１ｂ，１２２ｂに連結された駆動ピン１３１、後述する駆動ピン１６１ｂに係合し得る係合アーム１３２、突起１３３、円筒部１３４等により形成されており、地板１００の支軸１００ｂに回動自在に支持されている。
【００３９】
捩りコイルバネ１４０は、図６ないし図８に示すように、一端部１４１、他端部１４２、一端部１４１と他端部１４２とを連結する螺旋状のコイル部１４３等により形成されている。コイル部１４３は、未装着の状態で巻線同士がお互いに離隔するように疎巻き状態に形成されている。
そして、捩りコイルバネ１４０は、図６に示すように、コイル部１４３が円柱部１３４に通された後に押え部材１５０により圧縮された状態で保持され、一端部１４１が突起１３３に掛止され、他端部１４２が保持板１０２に形成された突起１０２ａに掛止されて、図７及び図８において駆動レバー１３０を反時計回りに回転するように付勢力を及ぼしている。尚、押え部材１５０は、駆動レバー１３０の円柱部１３４に固定されるが、支軸１００ｂに固定されてもよい。
これにより、捩りコイルバネ１４０は、地板１００上においてコイル部１４３が堅固に保持されて、その傾きが防止される。
【００４０】
電磁アクチュエータ１６０は、図６に示すように、所定の角度範囲を回動するロータ１６１、励磁用のコイル１６２、円筒状のヨーク１６３等により形成されている。ロータ１６１は、Ｎ極及びＳ極に着磁された磁石部１６０ａ、駆動力を出力する駆動ピン１６０ｂを有する。駆動ピン１６０ｂは、地板１００の貫通孔１００ｃ内を移動し、駆動レバー１３０の係合アーム１３２に係合して回転駆動力を及ぼす。
【００４１】
次に、このカメラ用シャッタ装置を、デジタルスチルカメラに搭載した場合の動作について、図７及び図８の動作図を参照しつつ説明する。
先ず、撮影者がメインスイッチをＯＮにすると、制御部から出力される制御信号によりＣＣＤがＯＮ状態になり、図７に示すように、シャッタ羽根１２０は開口部１００ａを全開した開放位置にある。このとき、捩りコイルバネ１４０は駆動レバー１３０を反時計回りの回転端に付勢しており、シャッタ羽根１２０はストッパ１００ｇにより開放位置に位置決めされている。
【００４２】
この状態において、レリーズ動作が行なわれると、制御部からの制御信号によりＣＣＤがリセットされ、続けてＣＣＤが電荷の蓄積を開始し、所定時間経過後に、電磁アクチュエータ１６０が駆動されてロータ１６０が反時計回りに回転する。そして、駆動ピン１６１ｂが、係合アーム１３２に当接すると同時に捩りコイルバネ１４０の付勢力に抗して、駆動レバー１３０を時計回りに回転させる。すると、駆動ピン１３１により、シャッタ羽根１２０は、図８に示すように、開口部１００ａを閉鎖する位置に至りストッパ１００ｈに当接して停止する。
【００４３】
上記の閉じ動作において、コイル部１４３は圧縮した状態で堅固に保持されているため、捩りコイルバネ１４０は傾くことなく略直立した状態で駆動レバー１３０に付勢力を及ぼす。したがって、駆動レバー１３０（駆動ピン１３１）は安定して回転し、シャッタ羽根１２０は無理な力を受けることなく安定して閉じ動作を行なう。
【００４４】
続いて、制御部は、画像信号処理回路等を介して撮影された画像の信号をメモリカード等の記憶部に記憶させる。これにより、１回の撮影動作が完了する。その後、制御部からの制御信号により、電磁アクチュエータ１６０が逆向きに駆動されると、捩りコイルバネ１４０の付勢力も作用して、駆動レバー１３０及びシャッタ羽根１２０は開放位置に戻る。この戻り動作（開き動作）においても、捩りコイルバネ１４０は傾くことなく、安定した付勢力を及ぼすため、シャッタ羽根１２０は安定して開き動作を行なう。尚、以後の撮影に際しては、同様の制御シーケンス及び動作が行なわれる。
【００４５】
上記実施形態においては、捩りコイルバネ４０，１４０のコイル部４３，１４３を圧縮して保持するために、カバー板５０，押え部材１５０を採用したが、これに限定されるものではなく、カバー板５０あるいは押え部材１５０を用いることなく、圧縮した状態でコイル部４３，１４３の上端部を掛止する突起等を地板１０，１００あるいは保持板１０２に設けて保持する構成を採用してもよい。
【００４６】
また、上記実施形態においては、一対のシャッタ羽根２０，１２０を備えた構成において、捩りコイルバネ４０，１４０を採用した場合を示したが、これに限定されるものではなく、一つのシャッタ羽根を採用した構成において、本発明に係る捩りコイルバネ４０，１４０を採用してもよい。
さらに、上記実施形態においては、捩りコイルバネ４０，１４０の付勢力が作用する方向として、シャッタ羽根２０，１２０を開き方向に付勢する場合を示したが、これに限定されるものではなく、シャッタ羽根２０，１２０を閉じ方向に付勢するように形成されてもよい。
【００４７】
【発明の効果】
以上述べたように、本発明のカメラ用シャッタ装置によれば、一端部がシャッタ羽根に係合してあるいは駆動レバーに係合し（掛止され）て付勢力を及ぼす捩りコイルバネとして、コイル部の巻線同士が離隔するように巻かれかつ地板に対してコイル部を圧縮した状態で取り付けられたものを採用したことにより、コイル部が地板上に堅固に保持され、その傾きが防止される。これにより、シャッタ羽根は安定した開閉動作を行ない、安定した所望の露光動作が達成される。
【図面の簡単な説明】
【図１】本発明に係るカメラ用シャッタ装置の一部を示す分解斜視図である。
【図２】カメラ用シャッタ装置の組み付け工程を示す断面図であり、（ａ）は地板に捩りコイルバネを載置した状態での断面図、（ｂ）は捩りコイルバネのコイル部を圧縮した状態でカバー板を取り付け、さらにシャッタ羽根を取り付けた状態での断面図である。
【図３】カメラ用シャッタ装置の動作を説明するための動作図であり、シャッタ羽根及び絞り羽根が開放位置にある状態を示す平面図である。
【図４】カメラ用シャッタ装置の動作を説明するための動作図であり、シャッタ羽根が開放位置にかつ絞り羽根が絞り位置にある状態を示す平面図である。
【図５】カメラ用シャッタ装置の動作を説明するための動作図であり、シャッタ羽根が閉鎖位置にかつ絞り羽根が絞り位置にある状態を示す平面図である。
【図６】本発明に係るカメラ用シャッタ装置の他の実施形態を示す展開断面図である。
【図７】カメラ用シャッタ装置の動作を説明するための動作図であり、シャッタ羽根が開放位置にある状態を示す平面図である。
【図８】カメラ用シャッタ装置の動作を説明するための動作図であり、シャッタ羽根が閉鎖位置にある状態を示す平面図である。
【図９】従来のカメラ用シャッタ装置の一部を示す分解斜視図である。
【図１０】従来のカメラ用シャッタ装置の組み付け工程を示す断面図であり、（ａ）は地板に捩りコイルバネを載置した状態での断面図、（ｂ）は捩りコイルバネのコイル部を覆うようにカバー板を取り付け、さらにシャッタ羽根を取り付けた状態での断面図、（ｃ）は捩りコイルバネが傾いた状態を示す断面図である。
【図１１】従来のカメラ用シャッタ装置の一部を示す展開断面図である。
【図１２】（ａ），（ｂ）は従来のカメラ用シャッタ装置において、捩りコイルバネが傾いた状態を示す展開断面図である。
【符号の説明】
１０，１００　地板
１０ａ，１００ａ　露光用の開口部
１１　凹部
１１ａ，１１ｂ　側面
１１ｃ，１０２ａ，１３３　突起
１２，１３，１００ｂ，１００ｅ，１００ｆ　支軸
２０（２１，２２），１２０（１２１，１２２）　一対のシャッタ羽根
２１ｄ　縁部
３０　絞り羽根
４０，１４０　捩りコイルバネ
４１　可動片（一端部）
１４１　一端部
４２　掛止片
１４２　他端部
４３，１４３　コイル部
５０　カバー板
５１　切り欠き孔
６０　捩りコイルバネ
７０ａ，１３１，１６１ｂ　駆動ピン
１３０　駆動レバー
１３２　係合アーム
１５０　押え部材
１６０　電磁アクチュエータ
【図１】
2004133097.tif 000003
【図２】
2004133097.tif 000004
【図３】
2004133097.tif 000005
【図４】
2004133097.tif 000006
【図５】
2004133097.tif 000007
【図６】
2004133097.tif 000008
【図７】
2004133097.tif 000009
【図８】
2004133097.tif 000010
【図９】
2004133097.tif 000011
【図１０】
2004133097.tif 000012
【図１１】
2004133097.tif 000013
【図１２】
2004133097.tif 000014